(57)【要約】【課題】低コスト化や、リフォーム工事期間の短縮、作業性の向上を図った上で、所望の断熱性能を得ることができる断熱材収容袋、断熱構造及び断熱方法を提供する。【解決手段】床下空間２６に断熱材５１を設置するための断熱材収容袋５２であって、断熱材５１が充填される充填口、及び気体を排出させる排出口が形成された袋体５３を備えている。【選択図】図７
2018145692.tif 000002
【特許請求の範囲】
【請求項１】
仕切部材を隔てて室内空間の外側に位置する施工空間に断熱材を設置するための断熱材収容袋であって、
前記断熱材が充填される充填口、及び気体を排出させる排出口が形成された袋体を備えていることを特徴とする断熱材収容袋。
【請求項２】
前記袋体は、防湿性を有していることを特徴とする請求項１に記載の断熱材収容袋。
【請求項３】
前記袋体には、前記袋体内の圧力が所定値以上の場合に前記排出口を開口し、前記袋体内の圧力が所定値未満の場合に前記排出口を閉塞する弁体が設けられていることを特徴とする請求項１又は請求項２に記載の断熱材収容袋。
【請求項４】
請求項１から請求項３の何れか１項に記載の断熱材収容袋を用いた断熱構造であって、
前記施工空間に配設された前記袋体と、
前記袋体内に充填された前記断熱材と、を備えていることを特徴とする断熱構造。
【請求項５】
前記断熱材が充填された前記袋体が前記施工空間に複数配設されていることを特徴とする請求項４に記載の断熱構造。
【請求項６】
請求項１から請求項３の何れか１項に記載の断熱材収容袋を用いた断熱方法であって、
前記施工空間に連通する第１連通口を通じて前記袋体を進入させる袋体セット工程と、
前記袋体の前記充填口を通して前記袋体内に前記断熱材を充填する断熱材充填工程と、を有していることを特徴とする断熱方法。
【請求項７】
前記袋体セット工程では、前記袋体を折り畳んだ状態で前記施工空間に進入させることを特徴とする請求項６に記載の断熱方法。
【請求項８】
前記断熱材充填工程は、前記施工空間に連通する第２連通口を通じて前記施工空間に押し込み部材を進入させ、前記袋体を押し広げる拡張工程を有していることを特徴とする請求項６又は請求項７に記載の断熱方法。
【請求項９】
前記押し込み部材は、内部に流体が充填されることで、膨張可能に構成され、
前記拡張工程では、前記第２連通口を通じて前記押し込み部材を進入させた状態で、前記押し込み部材に流体を充填し、
前記拡張工程の終了後、前記押し込み部材内の流体を排出することで、前記第２連通口を通じて前記押し込み部材を前記施工空間から退避させることを特徴とする請求項８に記載の断熱方法。
【請求項１０】
前記施工空間は、床下空間であり、
前記第１連通口は、基礎換気口及び床下点検口の少なくとも何れかであることを特徴とする請求項６から請求項９の何れか１項に記載の断熱方法。
【発明の詳細な説明】
【技術分野】
【０００１】
本発明は、断熱材収容袋、断熱構造及び断熱方法に関するものである。
【背景技術】
【０００２】
床下の断熱性能を向上させるための技術として、例えば下記特許文献１に記載の構成が知られている。下記特許文献１に記載の構成は、建物の新築時において、基礎を設置した後、土間表面を覆うように断熱・防湿層を設置している。
【０００３】
近時では、エネルギー効率の向上や居住環境の改善等を目的として、既存建物の断熱性能を向上させる断熱リフォームが行われる場合がある。断熱リフォームのうち、特に床の断熱性能を向上させる方法（以下、床断熱リフォームという。）として、床上に断熱材を設置する方法がある。
床上に断熱材を配置する場合には、階高に影響が及ぶという課題がある。階高への影響を抑えるには、既存断熱材を撤去した上で、断熱性能に優れた新設断熱材を設置する必要がある。しかしながら、仮に既存断熱材を撤去したとしても、床上に設置できる新設断熱材の厚みは制限される。
【先行技術文献】
【特許文献】
【０００４】
【特許文献１】特開２０００−３２００３７号公報
【発明の概要】
【発明が解決しようとする課題】
【０００５】
ここで、階高への影響を抑える床断熱リフォームとして、床下に断熱材を設置する方法も考えられる。この種の床断熱リフォームには、例えば第一の方法として、床を一旦撤去した後、床下空間に断熱材を設置する方法がある。しかしながら、第一の方法では、リフォーム工事期間の長期化や、リフォーム費用の増加に繋がる等の課題がある。
【０００６】
床断熱リフォームの第二の方法として、床下空間に連通する連通口を床等に形成し、連通口を通して断熱材を充填する方法も考えられる。しかしながら、第二の方法では、第一の方法に比べてリフォームの簡易化が図れるものの、断熱材の飛散等により、床下空間の所望の範囲に断熱材を充填することが難しい。その結果、所望の断熱性能を得ることができないおそれがある。
【０００７】
床断熱リフォームの第三の方法として、床裏面に断熱材を設置する方法がある。しかしながら、床裏面に断熱材を設置するには、作業員が断熱材の断熱対象となる床下空間（グリッド）に潜って行う必要がある。そのため、床下空間の全体に断熱材を設置するには、作業性の向上を図る点で改善の余地がある。
【０００８】
そこで、本発明は、上述した事情に考慮してなされたもので、低コスト化や、リフォーム工事期間の短縮、作業性の向上を図った上で、所望の断熱性能を得ることができる断熱材収容袋、断熱構造及び断熱方法を提供することを目的とする。
【課題を解決するための手段】
【０００９】
上記課題を解決するために、本発明は以下の態様を採用した。
本発明の一態様に係る断熱材収容袋は、仕切部材を隔てて室内空間の外側に位置する施工空間に断熱材を設置するための断熱材収容袋であって、前記断熱材が充填される充填口、及び気体を排出させる排出口が形成された袋体を備えている。
【００１０】
本態様によれば、断熱材収容袋内に断熱材を充填することで、断熱材の充填時において、断熱材の飛散を断熱材収容袋内で留めることができる。そのため、断熱材収容袋の容積以上に断熱材が広がるのを抑制できる。すなわち、上述した第二の方法と異なり、断熱材の充填範囲を所定の範囲内で規制できるので、所望の範囲で所望の断熱効果を発揮させることができる。
しかも、断熱材を断熱材収容袋内に充填することで、災害（水害等）時や解体時等に断熱材を搬出、交換する場合には、例えば仕切部材を取り外した後、施工空間から断熱材収容袋を取り出す。これにより、施工空間に設置された断熱材をまとめて取り除くことができ、作業性の向上を図ることができる。
しかも、本態様では、袋体に排出口が形成されているため、断熱材の充填時に断熱材とともに袋体内に供給される気体が、排出口を通じて袋体から排出される。これにより、断熱材を袋体内にスムーズ、かつ隙間なく充填できる。
【００１１】
上記態様において、前記袋体は、防湿性を有していてもよい。
本態様によれば、袋体が防湿性を有しているため、施工空間に断熱材を設置した際、水分（湿気）等による断熱材の劣化を抑制できる。
【００１２】
上記態様において、前記袋体には、前記袋体内の圧力が所定値以上の場合に前記排出口を開口し、前記袋体内の圧力が所定値未満の場合に前記排出口を閉塞する弁体が設けられていてもよい。
本態様によれば、断熱材の充填後、排出口が弁体により開閉されるため、排出口を通した袋体内への水分等の進入を抑制できる。これにより、断熱材の劣化を確実に抑制できる。
【００１３】
本発明の一態様に係る断熱構造は、上記態様の断熱材収容袋を用いた断熱構造であって、前記施工空間に配設された前記袋体と、前記袋体内に充填された前記断熱材と、を備えている。
本態様によれば、施工空間において、上記態様の断熱材収容袋内に断熱材が充填されているため、所望の断熱効果を発揮させることができる。
しかも、断熱材を断熱材収容袋内に充填することで、災害（水害等）時や解体時等に断熱材を搬出、交換する場合には、例えば仕切部材を取り外した後、施工空間から断熱材収容袋を取り出す。これにより、施工空間に設置された断熱材をまとめて取り除くことができ、作業性の向上を図ることができる。
【００１４】
上記態様において、前記断熱材が充填された前記袋体が前記施工空間に複数配設されていてもよい。
本態様によれば、梁や配管等によって施工空間が異形の場合であっても、施工空間に断熱材を隙間なく設置し易くなる。そのため、作業性の向上を図るとともに、断熱性能を確保できる。
【００１５】
本発明の一態様に係る断熱方法は、上記態様の断熱材収容袋を用いた断熱方法であって、前記施工空間に連通する第１連通口を通じて前記袋体を進入させる袋体セット工程と、前記袋体の前記充填口を通して前記袋体内に前記断熱材を充填する断熱材充填工程と、を有している。
本態様によれば、第１連通口を通じて施工空間に断熱材収容袋をセットした後、断熱材を充填することで、施工空間の所望の範囲に所望の量の断熱材を設置できる。これにより、従来のように床上に断熱材を設置する場合と異なり、階高に影響が及ぶことがないので、断熱材の設置に自由度を持たせることができる。
また、上述した第一の方法と異なり、断熱材収容袋が進入可能な第１連通口さえあれば、施工空間に断熱材を設置できる。その結果、住まいながらに簡単に床断熱リフォームを行うことができ、低コスト化や、リフォーム工事期間の短縮を図ることができる。
しかも、上述した第三の方法と異なり、断熱材の断熱対象となる施工空間全てに作業員が直接進入する必要がない。すなわち、断熱材収容袋が進入可能な連通口さえあれば、施工空間に断熱材を設置できるので、作業性を向上させ、更なる低コスト化や、リフォーム工事期間の短縮を図ることができる。
【００１６】
上記態様において、前記袋体セット工程では、前記袋体を折り畳んだ状態で前記施工空間に進入させてもよい。
本態様によれば、第１連通口が袋体に対して小さい場合であっても、袋体を施工空間に進入させることができる。この場合、特に床断熱リフォームに伴い新たに第１連通口を形成する場合には、第１連通口の小型化を図り、連通口を形成する手間を削減できる。
【００１７】
上記態様において、前記断熱材充填工程は、前記施工空間に連通する第２連通口を通じて前記施工空間に押し込み部材を進入させ、前記袋体を押し広げる拡張工程を有していてもよい。
本態様によれば、拡張工程を行うことで、断熱材収容袋が施工空間にスムーズに広がることになる。これにより、施工空間の全体に隙間なく断熱材を設置でき、断熱性能を確保できる。また、断熱材収容袋が広がりきらないまま、断熱材が局所的に充填されるのを抑制できるので、断熱材収容袋の破損等も抑制できる。
【００１８】
上記態様において、前記押し込み部材は、内部に流体が充填されることで、膨張可能に構成され、前記拡張工程では、前記第２連通口を通じて前記押し込み部材を進入させた状態で、前記押し込み部材に流体を充填し、前記拡張工程の終了後、前記押し込み部材内の流体を排出することで、前記第２連通口を通じて前記押し込み部材を前記施工空間から退避させてもよい。
本態様によれば、施工空間で押し込み部材を膨張させることで、押し込み部材と断熱材収容袋との外面同士が、互いの外面形状に倣って柔軟に変形し合うことになる。これにより、断熱材収容袋を均等に押し広げることが可能になり、作業性の更なる向上を図ることができる。
【００１９】
上記態様において、前記施工空間は、床下空間であり、前記第１連通口は、基礎換気口及び床下点検口の少なくとも何れかであってもよい。
本態様によれば、袋体を施工空間に進入させる第１連通口として、基礎換気口や床下点検口を用いることで、床断熱リフォームに伴い別途第１連通口を形成する必要がない。そのため、建物の美観を維持できる。
【発明の効果】
【００２０】
本発明の一態様によれば、低コスト化や、リフォーム工事期間の短縮、作業性の向上を図った上で、所望の断熱性能を得ることができる。
【図面の簡単な説明】
【００２１】
【図１】実施形態に係る建物の概略構成図である。
【図２】実施形態に係る基礎の部分平面図である。
【図３】断熱材が充填されていない状態を示す断熱材収容袋の斜視図である。
【図４】断熱材が充填された状態を示す断熱材収容袋の斜視図である。
【図５】第１実施形態に係る床断熱リフォーム方法を説明するための工程図である。
【図６】第１実施形態に係る床断熱リフォーム方法を説明するための工程図である。
【図７】第１実施形態に係る床断熱リフォーム方法を説明するための工程図である。
【図８】第１実施形態に係る床断熱リフォーム方法を説明するための工程図である。
【図９】第１実施形態の他の構成に係る床断熱リフォーム方法を説明するための工程図である。
【図１０】第２実施形態における断熱構造を説明するための断面図である。
【図１１】第３実施形態における断熱材充填工程を説明するための工程図である。
【発明を実施するための形態】
【００２２】
次に、本発明の実施形態を図面に基づいて説明する。以下の説明では、本発明の断熱材収容袋、断熱構造及び断熱方法を既存建物の床下に採用した場合を例にして説明する。
（第１実施形態）
［既存建物］
図１は、実施形態に係る建物１の概略構成図である。
図１に示す建物１は、所定（例えば、３０５ｍｍ）のモジュールを有する工業化住宅である。すなわち、建物１は、規格化された複数の部材の組み合わせにより躯体が構成されている。
【００２３】
建物１の躯体は、基礎２と、基礎２に固定された架構３と、を有している。
基礎２は、例えばＲＣ造の連続布基礎である。基礎２は、上下方向に沿う断面視で逆Ｔ字状に形成されている。具体的に、基礎２は、地中に埋設されたフーチング部１１と、フーチング部１１から上方に突出する立ち上がり部１２と、を有している。なお、基礎２は、ベタ基礎であっても構わない。
【００２４】
架構３は、例えば鉄骨ラーメン構造である。すなわち、架構３は、角形鋼管等からなる柱（例えば、１階柱や２階柱）や、Ｈ形鋼等からなる梁（例えば、基礎梁１５や２階梁１７、Ｒ階梁（若しくは屋根梁）１８）等が連結（剛接合）されて構成されている。
【００２５】
基礎２及び基礎梁１５上や２階梁１７上には、それぞれ床（１階床（仕切部材）２１及び２階床２２）が敷設されている。１階床２１は、室内空間２５と、床下空間（施工空間）２６と、を仕切っている。各床２１，２２は、例えばＡＬＣパネル（Ａｕｔｏｃｌａｖｅｄ  Ｌｉｇｈｔｗｅｉｇｈｔ  ａｅｒａｔｅｄ  Ｃｏｎｃｒｅｔｅｐａｎｅｌｓ）や合板、床仕上げ材等が積層されて構成されている。
また、２階梁１７の下面や、Ｒ階梁（若しくは屋根梁）１８の下面には、それぞれ天井材２３が敷設されている。
【００２６】
図２は、基礎２の部分平面図である。
図２に示すように、上述した基礎２は、床下空間２６を複数のグリッド３１に区画している。グリッド３１は、基礎２の立ち上がり部１２により四辺が取り囲まれた領域である。なお、各グリッド３１の底面には、地面Ｇ（図１参照）が露出している。但し、各グリッド３１の底面には、土間コンクリート等が打設されていても構わない。
【００２７】
基礎２の立ち上がり部１２において、各グリッド３１の少なくとも一辺に対応する部分には、グリッド３１内にそれぞれ連通する基礎換気口（第１連通口）３２が形成されている。一のグリッド３１は、隣り合うグリッド３１のうち、少なくとも何れかのグリッド３１に基礎換気口３２を通じて連通している。各グリッド３１のうち、建物１の最外周に位置するグリッド３１は、基礎換気口３２を通じて建物１の外部に連通している。各グリッド３１のうち、何れかのグリッド３１は、１階床２１に形成された床下点検口（第１連通口）３３を通じて室内空間２５（１階空間）内に連通している。なお、各グリッド３１の大きさ（平面視での外形）は、適宜変更が可能である。また、図２の例では、各グリッド３１をそれぞれ同等の大きさに形成しているが、この構成のみに限らず、各グリッド３１の大きさを互いに異ならせても構わない。
【００２８】
［床断熱リフォーム］
次に、上述した建物１の床断熱リフォームについて説明する。本実施形態の床断熱リフォームは、上述した基礎２で区画された各グリッド３１内に、断熱材収容袋５２（図３参照）を用いて断熱材５１を設置する。
【００２９】
＜断熱材収容袋＞
まず、上述した断熱材収容袋５２について説明する。図３は、断熱材５１が充填されていない状態を示す断熱材収容袋５２の斜視図である。図４は、断熱材５１が充填された状態を示す断熱材収容袋５２の斜視図である。
図３、図４に示すように、断熱材収容袋５２は、断熱材５１を収容可能な袋体５３を備えている。袋体５３は、図３に示す断熱材５１の未充填時には折り畳み可能に構成されている。そして、袋体５３は、図４に示すように断熱材５１の充填に伴い膨張する。なお、袋体５３の容積は、最大膨張時において、グリッド３１の容積よりも大きいことが好ましい。
【００３０】
袋体５３は、例えば２枚のシート５４を互いに重ね合わせるとともに、シート５４の外周部分同士を互いにシールして形成されている。各シート５４は、少なくとも防湿性を有する材料により形成されていることが好ましい。このような材料としては、例えばＪＩＳ  Ａ６９３０住宅用プラスチック系防湿フィルムや、ＪＩＳ  Ｚ１７０２包装用ポリエチレンフィルム、ＪＩＳ  Ｋ６７８１農業用ポリエチレンフィルム等の透湿抵抗のある防湿フィルム等が挙げられる。さらに、シート５４は、防湿性に加えて防蟻性を有する材料であることがより好ましい。本実施形態において、シート５４は例えばポリエチレン（厚さが０．１ｍｍ以上）により形成されている。なお、袋体５３の構成は、適宜変更が可能である。例えば、袋体５３のうち、各シート５４間にマチ部を形成しても構わない。また、袋体５３は、筒状に形成されたシートの両端開口部をシールして形成しても構わない。
【００３１】
袋体５３の一部には、袋体５３内に断熱材５１を充填するための充填口５５が形成されている。充填口５５は、一方のシート５４における第１辺寄りに形成されている。但し、充填口５５の形成位置は、適宜変更が可能である。充填口５５は、例えば各シート５４のシール部分に形成しても構わない。袋体５３において、充填口５５の開口縁部には、充填側弁体５６が配設されていても構わない。充填側弁体５６は、断熱材５１の充填時に充填口５５を開放し、断熱材５１の非充填時に充填口５５を閉塞する。
【００３２】
袋体５３の一部には、袋体５３内の空気（気体）を外部に排出するための排出口６１が形成されている。排出口６１は、各シート５４の各角部にそれぞれ形成されている。但し、各排出口６１の形成位置や数等は、適宜変更が可能である。排出口６１は、例えば各シート５４のシール部分に形成しても構わない。
【００３３】
袋体５３において、各排出口６１の開口縁部には、排出側弁体６２が設けられていても構わない。排出側弁体６２は、袋体５３内の圧力が所定値以上の場合に排出口６１を開口し、袋体５３内の圧力が所定値未満の場合に排出口６１を閉塞する。なお、袋体５３は、各弁体５６，６２を有さない構成であっても構わない。また、排出口６１の開口径は、断熱材５１の充填時に、断熱材５１が漏れ出ない程度の大きさに形成されていることが好ましい。
【００３４】
＜床断熱リフォーム方法＞
続いて、上述した断熱材収容袋５２を用いた床断熱リフォーム方法（断熱方法）について説明する。図５〜図８は、床断熱リフォーム方法を説明するための工程図である。
本実施形態の床断熱リフォーム方法は、袋体セット工程と、断熱材充填工程と、確認工程と、を主に有している。本実施形態では、各グリッド３１にそれぞれ一つずつの断熱材収容袋５２を用いて断熱材５１を設置する。以下の説明では、図２、図５に示す各グリッド３１のうち、建物１の外部に面していないグリッド３１（以下、内側グリッド３１ａという。）内に断熱材５１を設置する方法を例にして説明する。本実施形態において、内側グリッド３１ａは、床下点検口３３を通じて隣接するグリッド（以下、隣接グリッド３１ｂという。）内に連通している。隣接グリッド３１ｂは、床下点検口３３を通じて室内空間２５に連通している。
【００３５】
図５に示すように、袋体セット工程では、まず床下点検口３３を開放して、作業員が隣接グリッド３１ｂ内に進入する。続いて、断熱材充填用の充填チューブ７０を、充填口５５（図３参照）に差し込む。この状態で、基礎換気口３２を通じて内側グリッド３１ａ内に断熱材収容袋５２を進入させる。このとき、断熱材収容袋５２は、基礎換気口３２を通過可能な大きさに折り畳んだ（若しくは丸めた）状態で内側グリッド３１ａに進入させる。なお、充填チューブ７０の上流端は、断熱材５１の供給源（不図示）に接続されている。
【００３６】
続いて、図６に示すように、断熱材充填工程では、充填チューブ７０を通じて供給源から断熱材収容袋５２内に断熱材５１を充填する。本実施形態で用いる断熱材５１は、粒状体（スチレンビーズやＡＬＣ粉体、ネオマフォーム（登録商標）廃材の粒体等）や吹込み材（吹込みグラスウールや吹込みロックウール、セルロースファイバ）、発泡材（ウレタンフォーム等）が好適に用いられる。
【００３７】
図７に示すように、供給源から断熱材５１を供給すると、充填チューブ７０を通じて断熱材収容袋５２内に空気とともに断熱材５１が充填される。そして、断熱材５１の充填に伴い、内側グリッド３１ａ内で断熱材収容袋５２が徐々に膨張することで、断熱材収容袋５２が内側グリッド３１ａ内に広がっていく。断熱材収容袋５２の膨張に伴い、断熱材収容袋５２内の圧力が所定値以上になると、排出側弁体６２が開弁して排出口６１が開放される。これにより、排出口６１を通じて断熱材収容袋５２から空気が排出される。なお、まずは空気により断熱材収容袋５２を膨張させて、その後に供給源から断熱材５１を断熱材収容袋５２に充填させてもよい。
【００３８】
そして、図８に示すように、内側グリッド３１ａ内において、断熱材収容袋５２が所定範囲まで広がった時点（本実施形態では、内側グリッド３１ａ内の全体に断熱材収容袋５２が広がった時点）で断熱材５１の充填を停止する。
【００３９】
確認工程では、断熱材５１の設置後に、内側グリッド３１ａにおける断熱材収容袋５２の到達状況を確認する。確認工程では、例えば建物１の外部に面する基礎換気口３２や、作業員やカメラ等が進入可能な隣接グリッド３１ｂの基礎換気口３２を通して内側グリッド３１ａ内を観察し、断熱材収容袋５２の到達状況を確認する。なお、上述した方法による観察が難しい場合には、図８に示す方法により確認工程を行っても構わない。まず１階床２１における内側グリッド３１ａの四隅に対応する部分に、観察孔７２を形成する。観察孔７２は、例えば内径が２０（ｍｍ）〜５０（ｍｍ）程度に形成する。続いて、観察孔７２を通じて内視鏡型カメラ等を進入させ、内側グリッド３１ａ内を確認する。なお、観察孔７２は、袋体セット工程の前に形成しておいても構わない。また、観察孔７２の形成位置や数等は、適宜変更が可能である。
【００４０】
確認工程において、内側グリッド３１ａ内での断熱材収容袋５２の到達状況が不十分の場合には、上述した断熱材充填工程を継続する。一方、内側グリッド３１ａ内での断熱材収容袋５２の到達状況が十分の場合には、断熱材充填工程を終了する。すなわち、断熱材充填工程の終了時において、内側グリッド３１ａ内には、断熱材収容袋５２と、断熱材収容袋５２内に充填された断熱材５１と、が設置される（断熱構造）。
【００４１】
断熱材充填工程を終了させる場合には、充填チューブ７０を充填口５５から抜き取り、充填側弁体５６を閉弁する。これにより、充填口５５が閉塞される。なお、充填口５５は、防湿性を有するシール部材（例えば、ブチルテープ等）によって別途閉塞しても構わない。また、断熱材５１の充填を停止することで、断熱材収容袋５２の圧力が所定値未満に維持されるため、排出側弁体６２が閉弁する。これにより、排出口６１が閉塞される。
【００４２】
上述した床断熱リフォーム方法では、内側グリッド３１ａ内に断熱材収容袋５２を設置する構成について説明したが、他のグリッド３１についても上述した方法に倣って断熱材収容袋５２を設置することが可能である。例えば建物１の最外周に位置するグリッド３１（図２における外側グリッド３１ｃ）に断熱材収容袋５２を設置する場合には、建物１の外部から基礎換気口３２を通じて上述した方法と同様の方法を行う。これにより、外側グリッド３１ｃ内に断熱材収容袋５２を設置できる。
【００４３】
また、図９に示すように、グリッド３１のうち、建物１の外部や何れのグリッド３１に連通してないグリッド３１（図９における閉塞グリッド３１ｄ）に断熱材収容袋５２を設置する場合には、例えば１階床２１に断熱材収容袋５２が通過可能な連通口（第１連通口）７３を形成する。その後、連通口７３を通じて上述した方法と同様の方法を行う。これにより、閉塞グリッド３１ｄ内に断熱材収容袋５２を設置できる。閉塞グリッド３１ｄ内への断熱材収容袋５２の設置後は、連通口７３を蓋部材等で閉塞する。なお、連通口７３の形成位置は、建物１の内観意匠を損なわない位置（例えば、クローゼット等）に形成することが好ましい。
【００４４】
このように、本実施形態では、断熱材収容袋５２を用いて床下空間２６内に断熱材５１を設置する構成とした。
この構成によれば、断熱材収容袋５２内に断熱材５１を充填することで、断熱材５１の充填時において、断熱材５１の飛散を断熱材収容袋５２内で留めることができる。そのため、断熱材収容袋５２の容積以上に断熱材５１が広がるのを抑制できる。すなわち、上述した第二の方法と異なり、断熱材５１の充填範囲を所定の範囲内で規制できるので、所望の範囲で所望の断熱効果を発揮させることができる。
しかも、断熱材５１を断熱材収容袋５２内に充填することで、災害（水害等）時や解体時等に断熱材５１を搬出、交換する場合には、例えば１階床２１を取り外した後、グリッド３１から断熱材収容袋５２を取り出す。これにより、グリッド３１内に設置された断熱材５１をまとめて取り除くことができ、作業性の向上を図ることができる。
しかも、本実施形態では、袋体５３に排出口６１が形成されているため、断熱材５１の充填時に断熱材５１とともに袋体５３内に供給される空気が、排出口６１を通じて袋体５３から排出される。これにより、断熱材５１を袋体５３内にスムーズ、かつ隙間なく充填できる。
【００４５】
本実施形態では、袋体５３が防湿性を有しているため、床下空間２６（グリッド３１）内に断熱材５１を設置した際、水分（湿気）等による断熱材５１の劣化を抑制できる。
【００４６】
本実施形態では、少なくとも排出口６１が排出側弁体６２により開閉されるため、排出口６１を通した袋体５３内への水分等の進入を抑制できる。これにより、断熱材５１の劣化を確実に抑制できる。
【００４７】
そして、本実施形態の断熱構造は、断熱材５１が充填された断熱材収容袋５２が床下空間２６に設置されるため、所望の断熱効果を発揮させることができる。
【００４８】
ここで、本実施形態の床断熱リフォーム方法では、袋体セット工程と、断熱材充填工程と、を有する構成とした。
この構成によれば、基礎換気口３２等を通じてグリッド３１内に断熱材収容袋５２をセットした後、断熱材５１を充填することで、グリッド３１内の所望の範囲に所望の量の断熱材５１を設置できる。これにより、従来のように床上に断熱材を設置する場合と異なり、階高に影響が及ぶことがないので、断熱材５１の設置に自由度を持たせることができる。
また、上述した第一の方法と異なり、断熱材収容袋５２が進入可能な連通口さえあれば、グリッド３１内に断熱材５１を設置できる。その結果、住まいながらに簡単に床断熱リフォームを行うことができ、低コスト化や、リフォーム工事期間の短縮を図ることができる。
しかも、上述した第三の方法と異なり、断熱材５１の断熱対象となるグリッド３１内全てに作業員が直接進入する必要がない。すなわち、断熱材収容袋５２が進入可能な連通口さえあれば、グリッド３１内に断熱材５１を設置できるので、作業性を向上させ、更なる低コスト化や、リフォーム工事期間の短縮を図ることができる。
【００４９】
本実施形態では、袋体セット工程において、袋体５３を折り畳んだ状態でグリッド３１内に進入させる構成とした。
この構成によれば、連通口（基礎換気口３２や床下点検口３３、連通口７３）が袋体５３に対して小さい場合であっても、袋体５３をグリッド３１内に進入させることができる。特に床断熱リフォームに伴い新たに連通口７３を形成する場合には、連通口７３の小型化を図り、連通口を形成する手間を削減できる。
【００５０】
本実施形態では、袋体５３をグリッド３１内に進入させる連通口として、基礎換気口３２や床下点検口３３を用いることで、床断熱リフォームに伴い別途連通口を形成する必要がない。そのため、建物１の美観を維持できる。
【００５１】
（第２実施形態）
次に、本発明の第２実施形態について説明する。図１０は、第２実施形態における断熱構造を説明するための断面図である。本実施形態では、一つのグリッド３１内に複数の断熱材収容袋５２を設置している点で、上述した実施形態と相違している。なお、以下の説明では、上述した実施形態と同様の構成については同一の符号を付して説明を省略する。
【００５２】
図１０に示すように、グリッド３１内に梁や配管（例えば、基礎梁１５）等が存在する場合には、グリッド３１内が異形となる。この場合、断熱材収容袋５２の広がりが梁や配管に規制され、一つの断熱材収容袋５２だけではグリッド３１内に隙間なく断熱材５１を設置できないおそれがある。
【００５３】
これに対して本実施形態では、一つのグリッド３１内に複数の断熱材収容袋５２を設置している。具体的には、グリッド３１内における基礎梁１５を間に挟んで両側に、断熱材収容袋５２をそれぞれ設置している。なお、各断熱材収容袋５２の設置方法としては、それぞれ既存の連通口（基礎換気口３２や床下点検口３３）を通じて設置してもよく、連通口７３を別途形成しても構わない。
【００５４】
本実施形態によれば、各断熱材収容袋５２は、グリッド３１内における基礎梁１５を間に挟んで両側から基礎梁１５を避けた領域に隙間なく広がる。すなわち、グリッド３１内に複数の断熱材収容袋５２を敷き詰めることで、グリッド３１内が異形であっても、グリッド３１内に断熱材５１を隙間なく設置し易くなる。その結果、作業性の向上を図るとともに、断熱性能を確保できる。なお、一つのグリッド３１内への断熱材収容袋５２の個数は、３個以上の複数であってもよい。また、複数の断熱材収容袋５２を一つのグリッド３１内に設置する場合には、各断熱材収容袋５２のサイズ等を互いに異ならせる等しても構わない。
【００５５】
（第３実施形態）
次に、本発明の第３実施形態について説明する。図１１は、第３実施形態における断熱材充填工程を説明するための工程図である。本実施形態では、断熱材充填工程において、断熱材収容袋５２を押し広げる拡張工程を有している点で、上述した実施形態と相違している。
図１１に示すように、拡張工程は、断熱材充填工程において、断熱材収容袋５２に断熱材５１が所定量充填された時点で、内側グリッド３１ａ内にバルーン（押し込み部材）９０を進入させる。バルーン９０は、例えば膨張可能な袋状のものである。なお、本実施形態の拡張工程は、断熱材５１の充填を継続しながら行う。但し、拡張工程において、断熱材５１の充填を一旦停止しても構わない。
【００５６】
バルーン９０は、１階床２１において、例えば内側グリッド３１ａの中心に対応する部分に形成した連通口（第２連通口）９１を通して内側グリッド３１ａ内に進入させる。バルーン９０を内側グリッド３１ａ内に進入させた後、空気充填用の充填チューブ９２を通してバルーン９０に空気（流体）を充填する。すると、バルーン９０が膨張することで、断熱材収容袋５２がバルーン９０によって上方から押し込まれる。これにより、断熱材収容袋５２が内側グリッド３１ａ内において水平方向に押し広げられる。断熱材収容袋５２が押し広げられた後、バルーン９０の空気を抜き、連通口９１を通してバルーン９０を内側グリッド３１ａから退避させる。以上により、拡張工程が終了する。なお、バルーン９０は、空気を抜いた後、内側グリッド３１ａ内で留まらせても構わない。
【００５７】
拡張工程の後、断熱材５１の充填を継続すると、バルーン９０が退避した領域にも断熱材収容袋５２が広がる。これにより、内側グリッド３１ａ内の全体に隙間なく断熱材５１が設置される。
【００５８】
本実施形態では、拡張工程を行うことで、断熱材収容袋５２がグリッド３１内にスムーズに広がることになる。これにより、グリッド３１内の全体に隙間なく断熱材５１を設置でき、断熱性能を確保できる。また、断熱材収容袋５２が広がりきらないまま、断熱材５１が局所的に充填されるのを抑制できるので、断熱材収容袋５２の破損等も抑制できる。
しかも、拡張工程でバルーン９０を用いることで、バルーン９０と断熱材収容袋５２との外面同士が、互いの外面形状に倣って柔軟に変形し合うことになる。これにより、断熱材収容袋５２を均等に押し広げることが可能になり、作業性の更なる向上を図ることができる。
【００５９】
なお、上述した実施形態では、バルーン９０内に空気を充填する構成について説明したが、この構成のみに限られない。すなわち、空気以外の気体の他、水等の液体をバルーン９０内に充填しても構わない。
また、上述した実施形態では、バルーン９０を一つのみ用いた場合について説明したが、複数のバルーン９０を用いて拡張工程を行っても構わない。
【００６０】
また、拡張工程に用いる押し込み部材として、本実施形態の断熱材収容袋５２を用いても構わない。すなわち、断熱材充填工程の途中で、連通口９１を通じて一の断熱材収容袋５２を進入させることで、一の断熱材収容袋５２内に断熱材５１を充填しながら、他の断熱材収容袋５２を押し広げることが可能になる。その結果、拡張工程の終了後には、複数の断熱材収容袋５２がグリッド３１内に設置される。この場合には、断熱材充填工程の短縮化を図ることができる。また、拡張工程において、別途バルーン９０を用いる必要がないので、低コスト化を図ることも可能である。
【００６１】
上述した実施形態では、押し込み部材にバルーン９０を用いた場合について説明したが、この構成のみに限らず、例えば棒状の押し込み部材等を用いて断熱材収容袋５２を押し広げても構わない。
【００６２】
本発明の技術範囲は、上述した各実施形態に限定されるものではなく、本発明の趣旨を逸脱しない範囲において、上述した実施形態に種々の変更を加えたものを含む。
例えば、上述した実施形態では、床下空間２６内に断熱材５１を設置する場合について説明したが、この構成のみに限られない。仕切部材を隔てて室内空間２５の外側に位置する施工空間に断熱材５１を設置する場合に、本発明の構成を採用することができる。例えば図１に示すように、最上階の天井材２３を間に挟んで室内空間２５の上方に形成された施工空間（天井材２３と屋根１００とで囲まれた空間（いわゆる、懐１０１））にも本発明の構成を採用できる。
このように、施工空間は、仕切部材を隔てて室内空間２５の外側において断熱材５１を設置する空間であって、建物１の構成要素や地面Ｇ等によって周囲を囲まれた空間が望ましく、上述の床下空間２６や懐１０１の他、例えば、壁体内の空間等であっても良い。
【００６３】
上述した実施形態では、袋体５３が防湿性を有する構成について説明したが、例えばベタ基礎の場合や、床下空間２６内で別途防湿処理が施されている場合等では、袋体５３が防湿性を有していなくても構わない。この場合、袋体５３はメッシュ状であっても構わない。なお、袋体５３をメッシュ状に形成した場合には、メッシュ開口が本発明の排出口として機能する。
【００６４】
上述した実施形態において、充填口５５が袋体５３に一つ形成された構成について説明したが、この構成のみに限らず、複数の充填口５５を袋体５３に形成しても構わない。この場合には、施工環境に応じて使用する充填口５５を選択することができる。但し、充填時において、未使用の充填口５５は封止することが好ましい。
【００６５】
上述した実施形態では、鉄骨ラーメン構造の建物１に本発明を採用した場合について説明したが、その他の鉄骨造の建物や木造（２×４工法や在来工法等）の建物に本発明を採用しても構わない。
上述した実施形態では、既存の建物１の断熱リフォームに本発明の断熱材収容袋５２を用いた構成について説明したが、この構成のみに限らず、建物１の新築時に床下空間２６等に本発明の断熱材収容袋５２を設置しても構わない。
上述した実施形態では、床下空間２６の全グリッド３１に断熱材収容袋５２を設置する構成について説明したが、何れかのグリッド３１のみに断熱材収容袋５２を設置する構成であっても構わない。
【００６６】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００６７】
１…建物、２…基礎、３…架構、１１…フーチング部、１２…立ち上がり部、１５…基礎梁、１７…２階梁、１９…Ｒ階梁、２１…１階床（仕切部材）、２２…２階床、２３…天井材、２５…室内空間、２６…床下空間（施工空間）、３１…グリッド、３１ａ…内側グリッド、３１ｂ…隣接グリッド、３１ｃ…外側グリッド、３１ｄ…閉塞グリッド、３２…基礎換気口（第１連通口）、３３…床下点検口（第１連通口）、５１…断熱材、５２…断熱材収容袋、５３…袋体、５４…シート、５５…充填口、５６…弁体、５６…充填側弁体、６１…排出口、６２…排出側弁体、６２…弁体、７０…充填チューブ、７２…観察孔、７３…連通口（第１連通口）、９０…バルーン（押し込み部材）、９１…連通口（第２連通口）、９２…充填チューブ、１００…屋根、１０１…懐（施工空間）
【図１】
2018145692.tif 000003
【図２】
2018145692.tif 000004
【図３】
2018145692.tif 000005
【図４】
2018145692.tif 000006
【図５】
2018145692.tif 000007
【図６】
2018145692.tif 000008
【図７】
2018145692.tif 000009
【図８】
2018145692.tif 000010
【図９】
2018145692.tif 000011
【図１０】
2018145692.tif 000012
【図１１】
2018145692.tif 000013